(57)【要約】  携帯装置は、無線ヘッドセットを携帯端末のハウジングと一体化する。一実施形態においては、携帯端末のハウジングは、無線ヘッドセットをハウジングに機械的に接続するための固定部を備える。無線ヘッドセットがハウジングから機械的に分離されている場合、無線ヘッドセットのスピーカ及びマイクロホンは、無線インタフェースを介して携帯端末とインタフェースする。一方、無線ヘッドセットがハウジングに機械的に接続している場合には、無線ヘッドセットのスピーカ及びマイクロホンは、ハウジングに機械的及び電気的に接続し、携帯端末のスピーカ及びマイクロホンとして動作する。携帯装置に含まれる検出器回路は、携帯端末に対する無線ヘッドセットの位置を更に判定し、判定された位置に基づいて、無線ヘッドセットと携帯端末との間における無線インタフェース又は電気インタフェースを自動的に選択する。
2007520105.tif 000002
【特許請求の範囲】
【請求項１】
対応するハウジング（１１０）を有する携帯端末（１０５）と、
無線ヘッドセット（１２０）と、
前記ハウジング（１１０）に配置され、前記無線ヘッドセット（１２０）を前記ハウジング（１１０）に機械的に接続する固定部（１３０）と
を備えることを特徴とする携帯装置（１００）。
【請求項２】
前記無線ヘッドセット（１２０）は、スピーカ（１２２）及びマイクロホン（１２４）を備えることを特徴とする請求項１に記載の携帯装置。
【請求項３】
前記無線ヘッドセット（１２０）が前記ハウジング（１１０）に機械的に接続された場合、前記無線ヘッドセット（１２０）は第１の動作モードで動作し、更に、前記無線ヘッドセット（１２０）が前記ハウジング（１１０）から機械的に分離された場合、前記無線ヘッドセット（１２０）は第２の動作モードで動作することを特徴とする請求項２に記載の携帯装置。
【請求項４】
前記無線ヘッドセット（１２０）が前記第２の動作モードで動作している場合、前記無線ヘッドセット（１２０）は、無線インタフェースを介して前記携帯端末（１０５）とインタフェースすることを特徴とする請求項３に記載の携帯装置。
【請求項５】
前記無線ヘッドセット（１２０）が前記第１の動作モードで動作している場合、前記無線ヘッドセット（１２０）は、電気インタフェースを介して前記携帯端末（１０５）とインタフェースすることを特徴とする請求項３に記載の携帯装置。
【請求項６】
前記ハウジング（１１０）に配置された第１の電気接点（１３８）と、前記無線ヘッドセット（１２０）に配置された第２の電気接点（１２８）とを更に備え、前記無線ヘッドセット（１２０）が前記第１の動作モードで動作している場合、前記第１の電気接点（１３８）は、前記第２の電気接点（１２８）に電気的に接続されることを特徴とする請求項５に記載の携帯装置。
【請求項７】
前記固定部（１３０）は、前記無線ヘッドセットを受け入れるために前記ハウジング（１１０）に配置された凹部であることを特徴とする請求項２に記載の携帯装置。
【請求項８】
前記凹部は、前記無線ヘッドセット（１２０）を前記ハウジング（１１０）に固着するように構成されていることを特徴とする請求項７に記載の携帯装置。
【請求項９】
前記凹部は、前記無線ヘッドセット（１２０）を前記ハウジング（１１０）に摩擦により固着するように構成されていることを特徴とする請求項７に記載の携帯装置。
【請求項１０】
前記無線ヘッドセット（１２０）が前記凹部内に固着された場合、前記無線ヘッドセット（１２０）は、前記ハウジング（１１０）に機械的に接続されることを特徴とする請求項７に記載の携帯装置。
【請求項１１】
前記無線ヘッドセット（１２０）が前記凹部内に固着された場合、前記無線ヘッドセット（１２０）は、前記ハウジング（１１０）と同じ高さに位置することを特徴とする請求項７に記載の携帯装置。
【請求項１２】
前記固定部（１３０）は、更に、前記ハウジング（１１０）の一方の面に、前記凹部に隣接して切り欠きを有することを特徴とする請求項７に記載の携帯装置。
【請求項１３】
前記無線ヘッドセット（１２０）が前記凹部内に固着された場合、前記スピーカ（１２２）は、前記切り欠き内部に配置されることを特徴とする請求項１２記載の携帯装置。
【請求項１４】
前記無線ヘッドセット（１２０）が前記凹部内に固着された場合、前記マイクロホン（１２４）は、前記切り欠き内部に配置されることを特徴とする請求項１２に記載の携帯装置。
【請求項１５】
前記凹部は、前記ハウジング（１１０）の背面に配置されることを特徴とする請求項７に記載の携帯装置。
【請求項１６】
前記凹部は、更に、前記ハウジング（１１０）の上部、正面及び一方の側面のうちの少なくとも１つに配置されることを特徴とする請求項１５に記載の携帯装置。
【請求項１７】
前記無線ヘッドセット（１２０）が前記ハウジング（１１０）に機械的に接続された場合、前記スピーカ（１２２）は、前記ハウジング（１１０）の上部に近接して配置されることを特徴とする請求項２に記載の携帯装置。
【請求項１８】
前記無線ヘッドセット（１２０）が前記ハウジング（１１０）に機械的に接続された場合、前記マイクロホン（１２４）は、前記ハウジング（１１０）の底部に近接して配置されることを特徴とする請求項２に記載の携帯装置。
【請求項１９】
前記無線ヘッドセット（１２０）が前記ハウジング（１１０）に機械的に接続された場合、前記マイクロホン（１２４）は、前記ハウジング（１１０）の一方の側面に近接して配置されることを特徴とする請求項２に記載の携帯装置。
【請求項２０】
前記ハウジング（１１０）は、無線ヘッドセットロケータコントロール（１１８）を更に備えることを特徴とする請求項１に記載の携帯装置。
【請求項２１】
ユーザが前記無線ヘッドセットロケータコントロール（１１８）を起動した場合、前記無線ヘッドセット（１２０）は、ロケータ信号を出力することを特徴とする請求項２０に記載の携帯装置。
【請求項２２】
前記携帯端末（１０５）は携帯電話であることを特徴とする請求項１に記載の携帯装置。
【請求項２３】
前記第１のモードにある場合、前記無線ヘッドセット（１２０）は、前記ハウジング（１１０）に固着され、前記ハウジング（１１０）及び前記無線ヘッドセット（１２０）は単一のユニットを形成することを特徴とする請求項３に記載の携帯装置。
【請求項２４】
前記ハウジング（１１０）及び前記無線ヘッドセット（１２０）の双方は、それぞれ、少なくとも１つの電気接点（１２８、１３８）を備え、前記無線ヘッドセット（１２０）が前記ハウジング（１１０）に固着された場合、前記携帯端末（１０５）と前記無線ヘッドセット（１２０）との間で電気信号が転送されることを特徴とする請求項２３に記載の携帯装置。
【請求項２５】
前記無線ヘッドセット（１２０）が前記ハウジング（１１０）に固着され、前記第１のモードで動作している場合、前記無線ヘッドセット（１２０）の前記スピーカ（１２２）及び前記マイクロホン（１２４）は、前記携帯端末（１０５）のスピーカ及びマイクロホンとして機能することを特徴とする請求項２４に記載の携帯装置。
【請求項２６】
前記携帯端末（１０５）は、前記ハウジング（１１０）内部にスピーカ及びマイクロホンを含んでおらず、従って、前記無線ヘッドセット（１２０）と連携しない限り、ユーザとの間で音響信号を通信することが不可能であることを特徴とする請求項２５に記載の携帯装置。
【請求項２７】
携帯端末（１０５）に対する無線ヘッドセット（１２０）の位置を判定するための検出器回路（２４６）を備える携帯端末であって、判定された位置に従って、前記携帯端末（１０５）と前記無線ヘッドセット（１２０）との間に無線インタフェース又は電気インタフェースを自動的に確立することを特徴とする携帯端末（１０５）。
【請求項２８】
前記無線インタフェースは、短距離無線ネットワークであることを特徴とする請求項２７に記載の携帯端末。
【請求項２９】
前記短距離無線ネットワークは、短距離アドホック無線ネットワークであることを特徴とする請求項２８に記載の携帯端末。
【請求項３０】
前記無線ヘッドセット（１２０）が前記携帯端末（１０５）から機械的に分離されていると前記検出器回路（２４６）が判定した場合、前記携帯端末（１０５）は、前記携帯端末（１０５）と前記無線ヘッドセット（１２０）との間に前記無線インタフェースを確立することを特徴とする請求項２７に記載の携帯端末。
【請求項３１】
前記無線ヘッドセット（１２０）が前記携帯端末（１０５）に機械的に接続されていると前記検出器回路（２４６）が判定した場合、前記携帯端末（１０５）は、前記携帯端末（１０５）と前記無線ヘッドセット（１２０）との間に前記電気インタフェースを確立することを特徴とする請求項２７に記載の携帯端末。
【請求項３２】
前記検出器回路（２４６）が前記携帯端末（１０５）と前記無線ヘッドセット（１２０）との間の電流の流れを検出した場合、前記検出器回路（２４６）は、前記無線ヘッドセット（１２０）が前記携帯端末（１０５）に機械的に接続されていると判定することを特徴とする請求項３１に記載の携帯端末。
【請求項３３】
前記検出器回路（２４６）は、携帯端末回路とヘッドセット回路との間の電流の流れを検出することにより、前記携帯端末（１０５）と前記無線ヘッドセット（１２０）との間の電流の流れを検出することを特徴とする請求項３２に記載の携帯端末。
【請求項３４】
前記携帯端末（１０５）は携帯電話であることを特徴とする請求項２７に記載の携帯端末。
【請求項３５】
携帯端末（１０５）と無線ヘッドセット（１２０）との間で通信インタフェースを選択する方法であって、
前記無線ヘッドセット（１２０）が前記携帯端末（１０５）に機械的に接続されているか否かを判定し、
前記無線ヘッドセット（１２０）が前記携帯端末（１０５）に機械的に接続されている場合には、電気インタフェース動作モードを自動的に選択し、
前記無線ヘッドセット（１２０）が前記携帯端末（１０５）から機械的に分離されている場合には、無線インタフェース動作モードを自動的に選択することを特徴とする方法。
【請求項３６】
前記無線ヘッドセット（１２０）が前記携帯端末（１０５）に機械的に接続されているか否かの判定には、前記無線ヘッドセット（１２０）が前記携帯端末（１０５）に電気的に接続されているか否かの判定が含まれることを特徴とする請求項３５に記載の方法。
【請求項３７】
前記無線ヘッドセット（１２０）が前記携帯端末（１０５）に機械的に接続されているか否かの判定には、前記無線ヘッドセット（１２０）と前記携帯端末（１０５）との間に電流が流れているか否かの判定が含まれることを特徴とする請求項３６に記載の方法。
【請求項３８】
無線インタフェース動作モードの自動的な選択には、前記携帯端末（１０５）と前記無線ヘッドセット（１２０）との間の短距離無線ネットワークの確立が含まれることを特徴とする請求項３５に記載の方法。
【請求項３９】
前記携帯端末（１０５）と前記無線ヘッドセット（１２０）との間の前記短距離無線ネットワークの確立には、前記携帯端末（１０５）と前記無線ヘッドセット（１２０）との間の短距離アドホック無線ネットワークの確立が含まれることを特徴とする請求項３８に記載の方法。
【請求項４０】
携帯装置（１００）であって、
ヘッドセット（１２０）と、
携帯端末（１０５）と、
前記携帯端末（１０５）に対する前記ヘッドセット（１２０）の位置を判定する検出器回路（２４６）と、を備え、
前記携帯装置（１００）は、判定された前記ヘッドセット（１２０）の位置に応答して、２つの動作モードのうちの一方を自動的に選択することを特徴とする携帯装置（１００）。
【請求項４１】
前記検出器回路（２４６）は、前記ヘッドセット（１２０）が前記携帯端末（１０５）に機械的に接続されているか又は前記携帯端末（１０５）から機械的に分離されているかを判定することにより、前記ヘッドセット（１２０）の位置を判定することを特徴とする請求項４０に記載の携帯装置。
【請求項４２】
前記検出器回路（２４６）が前記携帯端末（１０５）と前記ヘッドセット（１２０）との間の電流の流れを検出した場合、前記検出器回路（２４６）は、前記ヘッドセット（１２０）が携帯端末（１０５）に機械的に接続されていると判定することを特徴とする請求項４１に記載の携帯装置。
【請求項４３】
前記ヘッドセット（１２０）が前記携帯端末（１０５）に機械的に接続されている場合には、前記携帯装置（１００）は、電気動作モードを自動的に選択し、前記ヘッドセット（１２０）が前記携帯端末（１０５）から機械的に分離されている場合には、前記携帯装置（１００）は、無線インタフェース動作モードを自動的に選択することを特徴とする請求項４１に記載の携帯装置。
【請求項４４】
前記携帯端末（１０５）のハウジング（１１０）の少なくとも一方の側面に配置された凹部（１３０）の内部に前記ヘッドセット（１２０）が固着された場合、前記ヘッドセット（１２０）は、前記携帯端末（１０５）に機械的に接続されることを特徴とする請求項４１に記載の携帯装置。
【請求項４５】
前記凹部（１３０）の面に配置された第１の電気接点（１３８）と、
前記ヘッドセット（１２０）の面に配置された第２の電気接点（１２８）と、を更に備え、
前記ヘッドセット（１２０）が前記凹部（１３０）の内部に固着された場合、前記第１の電気接点（１３８）は、前記第２の電気接点（１２８）に電気的に接続されることを特徴とする請求項４４に記載の携帯装置。
【請求項４６】
前記凹部（１３０）は、前記ヘッドセット（１２０）を前記ハウジング（１１０）に摩擦により固着されることを特徴とする請求項４４に記載の携帯装置。
【請求項４７】
前記ヘッドセット（１２０）は無線ヘッドセットであることを特徴とする請求項４０に記載の携帯装置。
【請求項４８】
前記携帯端末（１０５）は携帯電話であることを特徴とする請求項４０に記載の携帯装置。
【請求項４９】
携帯端末（１０５）であって、
ユーザに対して音響信号を出力するスピーカ（１２２）と、
前記ユーザからの音響信号を受信するマイクロホン（１２４）と、を備え、
前記スピーカ（１２２）及び前記マイクロホン（１２４）が前記携帯端末（１０５）に機械的に接続されている場合には、前記スピーカ（１２２）及び前記マイクロホン（１２４）は、電気インタフェースを介して前記携帯端末（１０５）とインタフェースし、
前記スピーカ（１２２）及び前記マイクロホン（１２４）が前記携帯端末（１０５）から機械的に分離されている場合には、前記スピーカ（１２２）及び前記マイクロホン（１２４）は、無線インタフェースを介して前記携帯端末（１０５）とインタフェースすることを特徴とする携帯端末。
【請求項５０】
前記無線インタフェースは短距離無線ネットワークを備えることを特徴とする請求項４９に記載の携帯端末。
【請求項５１】
前記短距離無線ネットワークは短距離アドホック無線ネットワークであることを特徴とする請求項５０に記載の携帯端末。
【請求項５２】
前記スピーカ（１２２）及び前記マイクロホン（１２４）は、無線ヘッドセット（１２０）の内部に配置されることを特徴とする請求項４９に記載の携帯端末。
【請求項５３】
前記無線ヘッドセット（１２０）が前記携帯端末（１０５）から機械的に分離された場合、前記スピーカ（１２２）及び前記マイクロホン（１２４）は、前記携帯端末（１０５）から機械的に分離されることを特徴とする請求項５２に記載の携帯端末。
【請求項５４】
前記無線ヘッドセット（１２０）が前記携帯端末（１２０）に機械的に接続された場合、前記スピーカ（１２２）及び前記マイクロホン（１２４）は、前記携帯端末（１０５）に機械的に接続されることを特徴とする請求項５２に記載の携帯端末。
【請求項５５】
前記携帯端末（１０５）のハウジング（１１０）にある凹部（１３０）の内部に前記無線ヘッドセット（１２０）が固着された場合、前記無線ヘッドセット（１２０）は、前記携帯端末（１０５）に機械的に接続されることを特徴とする請求項５４に記載の携帯端末。
【請求項５６】
前記凹部（１３０）は、前記無線ヘッドセット（１２０）を前記ハウジング（１１０）に摩擦により固着させることを特徴とする請求項５５に記載の携帯端末。
【請求項５７】
前記無線ヘッドセット（１２０）は、前記音響信号を処理するための音声処理回路（２１２）を更に備えることを特徴とする請求項５２に記載の携帯端末。
【請求項５８】
前記スピーカ（１２２）及び前記マイクロホン（１２４）が前記携帯端末（１０５）に機械的に接続されている場合、前記音声処理回路（２１２）は、前記電気インタフェースを介して前記携帯端末（１０５）とインタフェースすることを特徴とする請求項５７に記載の携帯端末。
【請求項５９】
前記スピーカ（１２２）及び前記マイクロホン（１２４）が前記携帯端末（１０５）から機械的に分離されている場合、前記音声処理回路（２１２）は、前記無線インタフェースを介して前記携帯端末（１０５）とインタフェースすることを特徴とする請求項５７に記載の携帯端末。
【請求項６０】
前記スピーカ（１２２）及び前記マイクロホン（１２４）が前記携帯端末（１０５）に機械的に接続されているか否かを判定するために、前記携帯端末（１０５）に対する前記無線ヘッドセット（１２０）の位置を判定する検出器回路（２４６）を更に備えることを特徴とする請求項５２に記載の携帯端末。
【請求項６１】
前記検出器回路（２４６）は、前記スピーカ（１２２）及び前記マイクロホン（１２４）が前記携帯端末（１０５）に電気的に接続されているか否かを判定することにより、前記スピーカ（１２２）及び前記マイクロホン（１２４）が前記携帯端末（１０５）に機械的に接続されているか否かを判定することを特徴とする請求項６０に記載の携帯端末。
【請求項６２】
前記検出器回路（２４６）は、前記携帯端末（１０５）と前記無線ヘッドセット（１２０）との間の電流の流れを検出することにより、前記スピーカ（１２２）及び前記マイクロホン（１２４）が前記携帯端末（１０５）に電気的に接続されているか否かを判定することを特徴とする請求項６１に記載の携帯端末。
【請求項６３】
ヘッドセットロケータ（２４８）を更に備え、前記ヘッドセットロケータ（２４８）が起動された場合、前記スピーカ（１２２）は、ロケータ信号を出力することを特徴とする請求項５２に記載の携帯端末。
【発明の詳細な説明】
【技術分野】
【０００１】
本発明は、主に無線携帯装置に関し、特に、携帯装置と一体化された無線ヘッドセットに関するものである。
【背景技術】
【０００２】
携帯電話、携帯情報端末（ＰＤＡ）などの携帯装置の普及率は、年々増加し続けている。この流れを維持するために、各メーカでは、より多くの人々に携帯装置を受け入れられるための方法を探りつづけている。その中心となっている分野の１つが、ローカル無線ネットワークを介してローカル携帯装置と無線ヘッドセットにより通信するハンズフリー無線通信である。
【０００３】
携帯装置を使用して友人、家族及び同僚と通話している間、ユーザは、無線ヘッドセットにより両手を自由に使えるので、運転、買い物などの他の作業を自在に行うことができる。その結果、無線ヘッドセットは携帯装置を使用するうえで利便性を向上させる。
【発明の開示】
【発明が解決しようとする課題】
【０００４】
しかし、従来の無線ヘッドセットは携帯装置とは別個であるため、ユーザは無線ヘッドセットを別に持ち運ばなければならなかった。更に、通常、ユーザは、ヘッドセットバッテリを別個に監視し、携帯装置用の充電器とは別の特別なヘッドセット用充電器で、無線ヘッドセットのバッテリを充電する必要があった。多くのユーザにとっては、無線ヘッドセットを使用することによる利便性よりも、無線ヘッドセットを別個に保持し携帯することによる不都合の方が大きかった。
【課題を解決するための手段】
【０００５】
本発明は、無線ヘッドセットを携帯端末と一体化する方法及び装置から成る。一実施形態においては、携帯端末のハウジングは、無線ヘッドセットをハウジングに機械的に接続するための固定部を備える。無線ヘッドセットがハウジングに機械的に接続されている場合、無線ヘッドセットは、電気インタフェースを介して携帯端末とインタフェースする。一方、無線ヘッドセットがハウジングから機械的に分離されている場合には、無線ヘッドセットは、無線インタフェースを介して携帯端末とインタフェースする。
【０００６】
実施形態においては、無線ヘッドセットのスピーカ及びマイクロホンは、携帯端末のスピーカ及びマイクロホンとしても動作する。従って、無線ヘッドセットが携帯端末に機械的に接続されている場合、無線ヘッドセットのスピーカ及びマイクロホンは、電気インタフェースを介して携帯端末とインタフェースし、携帯端末の従来のスピーカ及びマイクロホンとして動作する。しかし、無線ヘッドセットが携帯端末から機械的に分離されている場合には、スピーカ及びマイクロホンも、携帯端末から機械的に分離される。その結果、スピーカ及びマイクロホンは、無線インタフェースを介して携帯端末とインタフェースする。
【０００７】
本発明の実施形態は、携帯端末に対する無線ヘッドセットの位置を判定するための検出器回路を更に含んでいてもよい。その場合、携帯装置は、判定された位置に基づいて動作モードを自動的に選択する。例えば、無線ヘッドセットが携帯端末から機械的に分離されていると検出器回路が判定した場合、携帯端末は、無線インタフェース動作モードを自動的に選択し、無線ヘッドセットと携帯端末との間に無線インタフェースを確立するようにしてもよい。一方、無線ヘッドセットが携帯端末に機械的に接続されていると検出器回路が判定した場合には、携帯端末は、電気インタフェース動作モードを自動的に選択し、無線ヘッドセットと携帯端末との間に電気インタフェースを確立するようにしてもよい。
【発明を実施するための最良の形態】
【０００８】
以下、２つの動作モードのうちの一方で動作する一体型無線ヘッドセットを有する携帯電話について説明する。第１の動作モードでは、無線ヘッドセットのスピーカ及びマイクロホンが携帯電話のスピーカ及びマイクロホンとして動作するように、無線ヘッドセットは、携帯電話に機械的及び電気的に接続される。第２の動作モードにおいては、無線ヘッドセットは、携帯電話から機械的及び電気的に分離される。このモードでは、無線ヘッドセットのスピーカ及びマイクロホンは、無線インタフェースを介して携帯電話とインタフェースする。
【０００９】
図１Ａ〜図１Ｃは、携帯電話１０５と、本発明による無線ヘッドセット１２０とを具備する携帯装置１００の一例を示す図である。携帯電話に関して本発明を説明するが、折りたたみ型携帯電話、パーソナルコミュニケーションシステム（ＰＣＳ）、携帯情報端末（ＰＤＡ）、従来のラップトップレシーバ及び／又はパームトップレシーバ、あるいは無線電話トランシーバを含む他のあらゆる携帯装置を含めたどのような携帯装置にも本発明が適用可能であることは、当業者には理解されるであろう。
【００１０】
携帯装置１００は、対応するハウジング１１０を有する携帯電話１０５と無線ヘッドセット１２０とを備える。ハウジング１１０は、携帯電話１０５の電気部品を収納し、通常、ハウジング１１０の外面には、ディスプレイ１１２、キーパッド１１４及び／又はコントロールボタン１１６などのユーザインタフェース要素が配置されている。ユーザは、従来のいずれかの方法に従って、携帯電話１０５とインタフェースする。例えば、ユーザは、従来から知られているようなユーザインタフェース要素を介して、携帯電話１０５とインタフェースしてもよい。あるいは、ユーザが音声コマンドを使用して携帯電話１０５とインタフェースできるように、携帯電話１０５は音声認識能力を備えていてもよい。
【００１１】
無線ヘッドセット１２０は、ユーザがローカル無線インタフェースを使用して携帯電話１０５と通信することを可能にするハンズフリー通信装置である。実施形態においては、ローカル無線インタフェースは、Ｂｌｕｅｔｏｏｔｈ（登録商標）ネットワークなどの短距離アドホック無線ネットワークから構成される。Ｂｌｕｅｔｏｏｔｈ（登録商標）ネットワークは、２つ以上の無線装置が短距離アドホックネットワークを介して無線通信することを可能にする汎用無線インタフェースである。Ｂｌｕｅｔｏｏｔｈ（登録商標）技術の詳細については、本明細書にも参考として取り入れられているＥｒｉｃｓｏｎ  Ｒｅｖｉｅｗ  Ｎｏ．３（１９９８年）に提示されたＪａａｐ  Ｈａａｒｔｓｅｎの「Ｂｌｕｅｔｏｏｔｈ−Ｔｈｅ  ｕｎｉｖｅｒｓａｌ  ｒａｄｉｏ  ｉｎｔｅｒｆａｃｅ  ｆｏｒ  ａｄ  ｈｏｃ，ｗｉｒｅｌｅｓｓ  ｃｏｎｎｅｃｔｉｖｉｔｙ」を参照されたい。本明細書においては、「Ｂｌｕｅｔｏｏｔｈ（登録商標）ネットワーク」などの短距離アドホック無線ネットワークについて言及するが、本発明は、Ｂｌｕｅｔｏｏｔｈ（登録商標）ネットワークに限定されるものではなく、携帯電話１０５と無線ヘッドセット１２０との間のどのような無線インタフェースにも本発明を適用可能であることは、当業者には理解されるであろう。
【００１２】
一般に、無線ヘッドセット１２０は、ユーザに対して音響信号を出力するスピーカ１２２と、ユーザからの音響信号を受信するマイクロホン１２４と、無線ヘッドセット１２０をユーザの頭部に固定するためのイヤーサポート１２６などの支持部とを備える。更に、無線ヘッドセット１２０は、イヤーサポート１２６をマイクロホン１２４に回動自在に接続するピボットコネクタ１２９を含んでいてもよい。ユーザは、ピボットコネクタ１２９まわりにマイクロホン１２４を回転させることにより、マイクロホン１２４をイヤーサポート１２６に対して任意の所望の場所に位置決めすることができる。
【００１３】
また、無線ヘッドセット１２０は、ピボットコネクタ１２９により位置決めされることでコンパクトな構造とすることができ、これにより、固定部を用いて携帯電話１０５と一体化して格納することができる。固定部は、ストラップ、ブラケット、クリップなどを含めて、無線ヘッドセット１２０をハウジング１１０に固着するための従来より知られている任意の固着手段を用いることができる。一実施形態においては、固定部は、図１Ｃに示されるように、ハウジング１１０に配置された凹部１３０である。一般に、凹部１３０は、無線ヘッドセット１２０をハウジング１１０に固着するように設計される。一実施形態においては、凹部１３０は、無線ヘッドセット１２０をハウジング１１０に対して摩擦により保持してもよい。あるいは、別の実施形態では、凹部１３０は、無線ヘッドセット１２０を凹部１３０の内部に保持する磁気ラッチ、ばねクリップなどのラッチを含んでいてもよい。いずれの場合にも、ユーザは、無線ヘッドセット１２０を凹部に押し込むことにより、無線ヘッドセット１２０をハウジング１１０に固着することができる。ユーザが無線ヘッドセット１２０を使用したいときには、無線ヘッドセット１２０を引っ張り出すことにより、又は無線ヘッドセット１２０を凹部１３０から解放するためにハウジング１１０に配置された解除ボタン（図示せず）を押すことにより、無線ヘッドセット１２０を凹部１３０から取り出す。
【００１４】
凹部１３０は、スピーカ１２２を受け入れるためのスピーカ領域１３２と、マイクロホン１２４を受け入れるためのマイクロホン領域１３４と、イヤーサポート１２６を受け入れるためのイヤーサポート領域１３６とを備える。実施形態においては、スピーカ領域１３２、マイクロホン領域１３４及びイヤーサポート領域１３６の形状は、スピーカ１２２、マイクロホン１２４及びイヤーサポート１２６の形状に対して、それぞれ相補形である。更に、凹部１３０は、無線ヘッドセット１２０が凹部１３０の内部に固着されたとき、無線ヘッドセット１２０がハウジング１１０と同じ高さになるような深さに形成されてもよい。
【００１５】
図１Ｃに示されるように、凹部１３０は、一般に、ハウジング１１０の背面に配置される。しかし、凹部１３０は、この構成に限定されず、所定の無線ヘッドセット１２０及び携帯電話１０５に適する場所であれば、ハウジング１１０のどのような部分に凹部１３０が形成されてもよいことは、当業者には理解されるであろう。図１Ｃの実施形態においては、マイクロホン領域１３４は、通常ハウジング１１０の一方の側面及び／又は底部に近接して配置され、スピーカ領域１３２は、通常ハウジング１１０の上部に近接して配置される。更に、マイクロホン領域１３４は、無線ヘッドセット１２０が凹部１３０の内部に固着されたときに、マイクロホン１２４をハウジング１１０の正面に近接する場所に位置決めする追加の切り欠き部分を、ハウジング１１０の側面に備えていてもよい。図１Ａ及び図１Ｃに示されるように、このマイクロホン用の切り欠き部分は、ハウジング１１０の正面まで延出していてもよい。あるいは、マイクロホン用の切り欠き部分は、ハウジング１１０の側面の一部のみを貫通していてもよい。スピーカ領域１３２は、無線ヘッドセット１２０が凹部１３０の内部に固着された場合に、スピーカ１２２をハウジング１１０の正面まで延出させることができる追加の切り欠き部分をハウジング１１０の上部に含んでいてもよい。これにより、無線ヘッドセット１２０が凹部１３０の内部に固着された場合に、スピーカ１２２及びマイクロホン１２４は、従来は携帯電話１０５のスピーカ及びマイクロホンが占めていた場所に近接して位置決めされることとなる。従って、スピーカ１２２及びマイクロホン１２４は、無線ヘッドセット１２０の一次スピーカ及び一次マイクロホンとして機能するのに加えて、無線ヘッドセット１２０がハウジング１１０に固着された場合には、携帯電話１０５の一次スピーカ及び一次マイクロホンとしても機能する。
【００１６】
スピーカ１２２及びマイクロホン１２４を携帯電話１０５のスピーカ及びマイクロホンとして使用しやすくするために、携帯電話１０５は、無線ヘッドセット１２０がハウジング１１０に機械的に固着された場合に、無線ヘッドセット１２０を携帯電話１０５と電気的にインタフェースするための電気インタフェース手段、例えば、コネクタ又は電気接点を更に備える。一実施形態においては、電気インタフェースは、凹部１３０の面に配置された電気接点１３８を含み、電気接点１３８は、無線ヘッドセット１２０に配置された対応する電気接点１２８と結合する。従って、無線ヘッドセット１２０が凹部１３０の内部に固着されると、電気接点１２８、１３８により、無線ヘッドセット１２０は携帯電話１０５に電気的に接続される。図１Ｃは、ただ１つの電気接点１２８、１３８を示しているが、２つ以上の電気接点１２８によって、無線ヘッドセット１２０を携帯電話１０５に電気的に接続してもよいことは、当業者には理解されるであろう。
【００１７】
次に、図２〜図４を参照して、本発明の動作の詳細を更に説明する。図２及び図３は、携帯装置１００の一例のブロック図を示す。以下の説明を容易にするために、図示される携帯装置１００の各々の構成要素は、別個の要素として示している。しかし、それらの構成要素のうちの２つ以上が単一のマイクロプロセッサ、特定用途向け集積回路又は他の適切な回路に組み合わされてもよいことは、当業者には理解されよう。
【００１８】
携帯装置１００は、無線ヘッドセット１２０に対応するヘッドセット電子回路２１０と、携帯電話１０５に対応する携帯装置電子回路２３０とを備える。ヘッドセット電子回路２１０は、ヘッドセット電子回路２１０を制御するヘッドセットコントローラ２１４と、ヘッドセット電子回路２１０に電力を供給するヘッドセットバッテリ２１６とを備える。ヘッドセット電子回路２１０は、ユーザに対して音響信号を出力するスピーカ１２２と、ユーザからの音響信号を受信するマイクロホン１２４と、音声処理装置２１２とを更に備える。音声処理装置２１２は、周知の方法に従って、携帯装置電子回路２３０から受信した音声信号を処理し、処理された音声信号をユーザに向けて出力するために、スピーカ１２２に音声信号を供給する。更に、音声処理装置２１２は、周知の方法に従って、マイクロホン１２４により受信された音響信号を処理し、処理された音声信号を携帯装置電子回路２３０へ送信する。以下に更に説明されるように、音声処理装置２１２は、携帯装置１００の現在の動作モードに応じて、電気インタフェース又は無線インタフェースを介して携帯装置電子回路２３０との間で音声信号の送受信を行う。その目的のために、ヘッドセット電子回路２１０は、Ｂｌｕｅｔｏｏｔｈ（登録商標）トランシーバ２１８などの無線送信器と、ヘッドセットコントローラ２１４により提供される命令に従って無線インタフェースを介して携帯装置電子回路２３０と通信するためのアンテナ２２０とを更に備える。
【００１９】
携帯装置電子回路２３０は、携帯電話アンテナ２３４を介して基地局との間で情報信号を送受信するためのトランシーバ２３２を備える。トランシーバ２３２は、ＧＳＭ、ＴＩＡ／ＥＩＡ−１３６、ｃｄｍａＯｎｅ、ＩＳ−９５、ｃｄｍａ２０００、ＵＭＴＳ又はＷｉｄｅｂａｎｄ  ＣＤＭＡを含めた任意の周知の規格に従って動作する。
【００２０】
携帯装置電子回路２３０は、電源管理回路２３６、携帯バッテリ２３８、携帯コントローラ２４０、並びにＢｌｕｅｔｏｏｔｈ（登録商標）トランシーバ２４２及びアンテナ２４４などのローカル無線送信器を更に備える。周知の電源管理技術に従って、電源管理回路２３６は携帯バッテリ２３８の電力を監視し調整する。例えば、電源管理回路２３６は、携帯バッテリ２３８の電力レベルを監視し、携帯バッテリ２３８の電力消費速度を調整し且つ／又は携帯バッテリ２３８を充電するために使用される充電処理を調整し制御する。携帯バッテリ２３８の従来の電源管理に加えて、電源管理回路２３６は、電源管理回路２３６がヘッドセットバッテリ２１６に電気的に接続された場合に、ヘッドセットバッテリ２１６の電力を更に管理するようにしてもよい。例えば、電源管理回路２３６は、ヘッドセットバッテリ２１６を充電し且つ／又はヘッドセットバッテリ２１６を介してヘッドセット電子回路２１０に電力を供給するようにしてもよい。
【００２１】
携帯装置電子回路２３０における電源管理回路２３６の動作及び他の構成要素の動作は、周知の技術に従って、携帯コントローラ２４０により制御される。携帯コントローラ２４０は、携帯電話１０５の動作モードを更に制御してもよく、通常、動作モードに基づいて、Ｂｌｕｅｔｏｏｔｈ（登録商標）トランシーバ２４２及びアンテナ２４４の動作を制御する。例えば、図１Ｂに示され、図２にその機能が表されるように、ヘッドセット電子回路２１０と携帯装置電子回路２３０との間に電気的接続が存在する場合、すなわち、無線ヘッドセット１２０がハウジング１１０に機械的に接続されている場合、携帯コントローラ２４０は、電気インタフェース動作モードを有効にしてもよい。電気インタフェース動作モードにおいては、携帯コントローラ２４０は、Ｂｌｕｅｔｏｏｔｈ（登録商標）トランシーバ２４２及びアンテナ２４４を無効にし、電気接点１２８、１３８により実現される電気接続によってのみ、携帯装置電子回路２３０とヘッドセット電子回路２１０との間の通信経路を形成する。
【００２２】
しかし、図１Ｃに示され、図３にその機能が表されるように、無線ヘッドセット１２０がハウジング１１０から機械的に分離されている場合のように、ヘッドセット電子回路２１０と携帯装置電子回路２３０との間に電気接続が存在しない場合には、携帯コントローラ２４０は、無線インタフェース動作モードを有効にしてもよい。無線インタフェース動作モードにおいては、従来より知られているＢｌｕｅｔｏｏｔｈ（登録商標）プロトコルに従って、ヘッドセット電子回路２１０と携帯装置電子回路２３０との間に無線インタフェースを確立するために、携帯コントローラ２４０は、Ｂｌｕｅｔｏｏｔｈ（登録商標）トランシーバ２４２及びアンテナ２４４を有効にする。
【００２３】
上述の構成要素に加えて、携帯装置電子回路２３０は、携帯コントローラ２４０に所望の動作モードを指示するヘッドセット検出器２４６などのモード制御部を更に備える。ヘッドセット検出器２４６は、モードと関連付けられたユーザ入力に従って、所望の動作モード、すなわち、電気インタフェース動作モード又は無線インタフェース動作モードを選択する。いくつかの実施形態においては、ヘッドセット検出器２４６は、ユーザインタフェースを介して入力されるコマンド又はハウジング１１０に配置されたスイッチの位置に応じて、動作モードを選択する。
【００２４】
あるいは、本発明の好ましい一実施形態においては、ヘッドセット検出器２４６は、ユーザが選択した携帯電話１０５に対する無線ヘッドセット１２０の位置に基づいて、自動的に動作モードを選択する。例えば、ヘッドセット検出器２４６は、無線ヘッドセット１２０がハウジングに機械的に接続されているか否かに基づいて、動作モードを選択するようにしてもよい。本発明の実施形態においては、ヘッドセット検出器２４６は、ヘッドセット電子回路２１０と携帯装置電子回路２３０との間に電気接続が存在するか否かを判定することにより、無線ヘッドセット１２０がハウジング１１０に機械的に接続されているか否かを判定する。携帯装置電子回路２３０とヘッドセット電子回路２１０との間に電流が流れているか否かを判定するために、ヘッドセット検出器２４６は、例えば、トレース２３３などの携帯装置電子回路２３０における電気的トレースを監視してもよい。電流の流れが検出された場合、ヘッドセット検出器２４６は、ヘッドセット電子回路２１０が携帯装置電子回路２３０に電気的に接続されていると判定する。あるいは、電源管理回路２３６がヘッドセット電子回路２１０に電流を供給しているか否かを判定するために、ヘッドセット検出器２４６は、電源管理回路２３６を監視してもよい。いずれの場合にも、携帯装置電子回路２３０とヘッドセット電子回路２１０との間に電流が流れているとき、ヘッドセット検出器２４６は、無線ヘッドセット１２０がハウジング１１０に機械的に接続されていると判定し、電気インタフェース動作モードを選択する。一方、電流の流れが検出されない場合には、ヘッドセット検出器２４６は、無線ヘッドセットがハウジング１１０から機械的に分離されていると判定し、無線インタフェース動作モードを選択する。
【００２５】
ヘッドセット検出器２４６に加えて、携帯装置電子回路２３０は、オプションとしてヘッドセットロケータ２４８を更に備えていてもよい。ヘッドセットロケータ２４８は、ハウジング１１０に配置されたロケータボタン１１８に動作可能に接続される。ユーザがロケータボタン１１８を起動するのに応答して、ヘッドセットロケータ２４８は、無線ヘッドセット１２０にロケータ要求信号を送信する。ロケータ要求信号を受信すると、無線ヘッドセット１２０は、無線ヘッドセット１２０からの可視信号及び／又は音響信号などのロケータ信号を出力する。その場合、ユーザは、無線ヘッドセット１２０から出力されるロケータ信号を見ることにより、または聞くことにより、あるいはその両方により、無線ヘッドセット１２０の場所を特定することができる。
【００２６】
次に図４を参照して、ヘッドセット検出及び位置判定の方法の一例を説明する。携帯装置電子回路２３０は、任意の適切な時点で、すなわち、携帯装置１００が始動した時点で、ヘッドセット検出ループを開始する（ブロック３００）。次に、ヘッドセット検出器２４６は、先に説明した方法のうちのいずれかに従って、無線ヘッドセット１２０がハウジング１１０に機械的に接続されているか否かを判定する（ブロック３０２）。無線ヘッドセット１２０がハウジング１１０に機械的に接続されている場合、携帯装置１００は、電気インタフェース動作モードで動作する（ブロック３０４）。一方、無線ヘッドセット１２０がハウジング１１０から機械的に分離されている場合には、携帯装置１００は、無線インタフェース動作モードで動作し、携帯装置電子回路２３０とヘッドセット電子回路２１０との間に無線インタフェースを確立する（ブロック３０６）。
【００２７】
いくつかの実施形態においては、ブロック３０６の処理の後、ブロック３０２に戻ってもよい。その場合、ヘッドセット検出器２４６において、ヘッドセット検出ループの制御が維持され、ブロック３０２〜３０６の処理が繰り返される。しかし、携帯装置電子回路２３０がヘッドセットロケータ２４８を含む場合には、ブロック３０６の処理の後、ブロック３０８の処理に移ってもよい。その場合、ヘッドセット検出ループの制御は、ヘッドセットロケータ２４８に引き継がれる。そこで、ヘッドセットロケータ２４８は、ロケータボタン１１８が起動されたか否かを判定する（ブロック３０８）。ロケータボタン１１８が起動されていなければ、ヘッドセット検出ループの制御は、ヘッドセット検出器２４６に戻り、ブロック３０２〜３０８の処理が繰り返される。しかし、ロケータボタン１１８が起動されていた場合には、ヘッドセットロケータ２４８は、ヘッドセット検出ループの制御をヘッドセット検出器２４６に戻す前に、ロケータ信号を発生し（ブロック３１０）、その後、ブロック３０２〜３０８の処理が繰り返される。
【００２８】
以上、一体型無線ヘッドセット１２０を有する携帯電話１０５について説明した。無線ヘッドセット１２０は、電気的及び機械的に携帯電話１０５と一体化されるため、本発明は、従来の携帯装置／無線ヘッドセットの組み合わせと比較していくつかの利点を提供する。第１に、無線ヘッドセット１２０が携帯電話１０５のハウジング１１０と一体であるので、ユーザが携帯電話１０５を身に付けているときは、いつでも、無線ヘッドセット１２０を容易に利用することができる。更に、無線ヘッドセット１２０がハウジング１１０に機械的に接続された時点で、ヘッドセット電子回路２１０は、携帯装置電子回路２３０に電気的に接続されるため、ヘッドセットバッテリ２１６は、携帯バッテリ２３８と同一の充電器を使用して、同時に充電可能である。その結果、携帯バッテリ２３８とヘッドセットバッテリ２１６を充電するために必要とされる充電器は、１つだけでよい。加えて、ヘッドセット検出器２４６が無線ヘッドセット１２０の位置を自動的に判定する実施形態においては、ユーザは、単に無線ヘッドセット１２０をハウジング１１０から取り外すだけで、無線インタフェースモードを起動できる。その結果、ユーザは、携帯電話１０５の動作モードを意識する必要がない。
【００２９】
本発明の本質的な特徴から逸脱せずに、先に特定して記載された方法以外の方法で本発明を実施してもよいことは言うまでもない。あらゆる点において、上記の実施形態は、例示であり、限定的な意味を持たないと考えられるべきであり、添付の請求の範囲及びそれと等価な範囲内に入るあらゆる変更は、本発明に含まれるものとする。
【図面の簡単な説明】
【００３０】
【図１Ａ】本発明にかかる携帯装置及び無線ヘッドセットの一例を示す概略図である。
【図１Ｂ】本発明にかかる携帯装置及び無線ヘッドセットの一例を示す概略図である。
【図１Ｃ】本発明にかかる携帯装置及び無線ヘッドセットの一例を示す概略図である。
【図２】本発明にかかる、電気インタフェース動作モードで動作する携帯装置及び無線ヘッドセットの一例を示すブロック図である。
【図３】本発明にかかる、無線インタフェース動作モードで動作する携帯装置及び無線ヘッドセットの一例を示すブロック図である。
【図４】携帯装置に対する無線ヘッドセットの位置を判定する方法の一例を示すフローチャートである。
【図１Ａ】
2007520105.tif 000003
【図１Ｂ】
2007520105.tif 000004
【図１Ｃ】
2007520105.tif 000005
【図２】
2007520105.tif 000006
【図３】
2007520105.tif 000007
【図４】
2007520105.tif 000008
【国際調査報告】
2007520105.tif 000009
2007520105.tif 000010
2007520105.tif 000011
2007520105.tif 000012
2007520105.tif 000013